(57)【特許請求の範囲】
【請求項１】
複数の撮影メニューの中から１つの撮影メニューを選択することで、選択された撮影メニューに対応した一連の撮影オーダを決定する撮影メニュー選択部と、
前記一連の撮影オーダに対応する被写体への一連の指示表示を自動生成する指示表示生成部と、
撮影に応じて、前記一連の撮影オーダの進行状況を検出する進行状況検出部と、
前記撮影オーダに応じて、被写体への指示表示を変更する指示表示制御部と、
被写体の周囲の互いに異なる位置に設けられ、前記指示表示制御部からの指示により前記撮影オーダに対応した前記指示表示を表示する複数の指示表示部と
を備え、
前記指示表示生成部は、１つの前記撮影オーダに対して、前記複数の指示表示部の設置位置にそれぞれ対応する複数の前記指示表示を生成し、
前記指示表示制御部は、前記指示表示生成部により生成された複数の前記指示表示を対応する前記複数の指示表示部に表示させることを特徴とする放射線撮影装置。
【請求項２】
前記指示表示は、被写体が保持すべき姿勢を画像で示したものであることを特徴とする請求項１に記載の放射線撮影装置。
【請求項３】
前記撮影オーダとは、撮影部位、撮影方向（被写体の向き）、ＳＩＤ、並びに、被写体の性別、体格（身長、体重）及び体厚などによって異なる放射線の曝射線量（放射線強度及び曝射時間）を含む撮影指示であることを特徴とする請求項１又は２に記載の放射線撮影装置。
【請求項４】
前記指示表示制御部は、放射線の曝射に応じて前記指示表示部に表示された前記指示表示を次の指示表示に切り替えることを特徴とする請求項１〜３のいずれかに記載の放射線撮影装置。
【請求項５】
前記進行状況検出部は、放射線の曝射の回数（撮影回数）をカウントすることで、前記一連の撮影オーダの進行状況を検出することを特徴とする請求項１〜４のいずれかに記載の放射線撮影装置。
【請求項６】
前記指示表示は、前記進行状況検出部により検出された前記一連の撮影オーダの進行状況を表示する進行状況表示部分を有することを特徴とする請求項１〜５のいずれかに記載の放射線撮影装置。
【請求項７】
前記進行状況表示部分は、前記一連の指示表示のサムネイル画像と（前記撮影回数）／（前記一連の撮影オーダ）との少なくとも一方を表示することを特徴とする請求項６に記載の放射線撮影装置。
【請求項８】
前記設置位置に応じた複数の指示表示とは、前記設置位置方向から前記被写体を見た際に、前記被写体が保持すべき姿勢を画像で示したものであることを特徴とする請求項１〜７のいずれか一項に記載の放射線撮影装置。
【請求項９】
前記指示表示制御部は、前記指示表示部上に、放射線の曝射までの残り時間を表示することを特徴とする請求項１〜８のいずれかに記載の放射線撮影装置。
【発明の詳細な説明】
【技術分野】
【０００１】
本発明は、放射線撮影に際して被写体の保持すべき姿勢の指示を被写体に向けて表示する指示表示部を備える放射線撮影装置に関するものである。
【背景技術】
【０００２】
従来、放射線撮影に際して被写体の保持すべき姿勢の指示は、放射線撮影装置の操作者である技師が、撮影部位及び撮影方向に基づいて、被写体に対して直接口頭で指示を行っていた。
【０００３】
以下に示す特許文献１には、息を吸う、息を止める等の指示、息を止めている時間、次の撮影までの待ち時間等を表示する表示装置を備えたＸ線（放射線）コンピュータ断層撮影装置が記載されており、また、以下に示す特許文献２には、操作者である技師から被写体である被検者に息止めを指示する情報と撮影準備から撮影終了までの撮影状況を表示する表示手段を、被写体の視認領域に配置するＸ線診断装置（放射線診断装置）が記載されおり、更に、以下に示す特許文献３には、取得された放射線画像から複数の特徴量を抽出し、被写体の体位を判定する体位判定手段を備える放射線撮影装置が記載されている。
【０００４】
また、以下に示す特許文献４には、撮影部位に基づいて撮影オーダが生成されるＸ線診断装置の発明が記載されている。
【先行技術文献】
【特許文献】
【０００５】
【特許文献１】特開２００８−１１９４４９号公報
【特許文献２】特開２００７−２２９３４６号公報
【特許文献３】特開２００１−１５７１９９号公報
【特許文献４】特開２０１０−１３６８９６号公報
【発明の概要】
【発明が解決しようとする課題】
【０００６】
特許文献１〜３には、撮影指示が表示される旨、被写体がとった姿勢が所望の姿勢か否かを検出する旨は開示されているのもの、被写体のとるべき姿勢を明確に指示することについては、何ら記載されていない。
また、特許文献４には、撮影部位から撮影オーダを生成する旨の記載は開示されているものの、撮影オーダに対応して被写体のとるべき姿勢を表示する旨は何ら記載されていない。
【０００７】
上述のとおり、操作者（例えば、技師）による口頭での指示は、様々な表現が可能である反面、操作者によって指示が異なり、被写体である被験者にうまく伝わらないことも多く、特に、被写体に特定の姿勢をとらせて撮影を行いたい場合、口頭だけの指示では困難な場合が多い。
また、このため、撮影時間も長く掛かり、被写体にとっても操作者にとっても互いに負担となっていた。
【０００８】
本発明の目的は、放射線撮影の撮影メニューに基づいて撮影オーダを生成し、撮影オーダに基づいて、撮影に際して被写体が保持すべき姿勢について、被写体が確認し易い位置に表示することのできる放射線撮影装置を提供することにある。
【課題を解決するための手段】
【０００９】
上記課題を解決するために、本発明は、複数の撮影メニューの中から１つの撮影メニューを選択することで、選択された撮影メニューに対応した一連の撮影オーダを決定する撮影メニュー選択部と、前記一連の撮影オーダに対応する被写体への一連の指示表示を自動生成する指示表示生成部と、撮影に応じて、前記一連の撮影オーダの進行状況を検出する進行状況検出部と、前記撮影オーダに応じて、被写体への指示表示を変更する指示表示制御部と、被写体の周囲の互いに異なる位置に設けられ、前記指示表示制御部からの指示により前記撮影オーダに対応した前記指示表示を表示する複数の指示表示部とを備え、前記指示表示生成部は、１つの前記撮影オーダに対して、前記複数の指示表示部の設置位置にそれぞれ対応する複数の前記指示表示を生成し、前記指示表示制御部は、前記指示表示生成部により生成された複数の前記指示表示を対応する前記複数の指示表示部に表示させることを特徴とする放射線撮影装置を提供する。
【００１０】
また、前記指示表示は、被写体が保持すべき姿勢を画像で示したものであることが好ましい。
【００１１】
また、前記撮影オーダとは、撮影部位、撮影方向（被写体の向き）、ＳＩＤ、並びに、被写体の性別、体格（身長、体重）及び体厚などによって異なる放射線の曝射線量（放射線強度及び曝射時間）を含む撮影指示であることが好ましい。
【００１２】
また、前記指示表示制御部は、放射線の曝射に応じて前記指示表示部に表示された前記指示表示を次の指示表示に切り替えることが好ましい。
【００１３】
また、前記進行状況検出部は、放射線の曝射の回数（撮影回数）をカウントすることで、前記一連の撮影オーダの進行状況を検出することが好ましい。
【００１４】
また、前記指示表示は、前記進行状況検出部により検出された前記一連の撮影オーダの進行状況を表示する進行状況表示部分を有することが好ましい。
【００１５】
また、前記進行状況表示部分は、前記一連の指示表示のサムネイル画像と（前記撮影回数）／（前記一連の撮影オーダ）との少なくとも一方を表示することが好ましい。
【００１７】
また、前記設置位置に応じた複数の指示表示とは、前記設置位置方向から前記被写体を見た際に、前記被写体が保持すべき姿勢を画像で示したものであることが好ましい。
【００１８】
また、前記指示表示制御部は、前記指示表示部上に、放射線の曝射までの残り時間を表示することが好ましい。
【発明の効果】
【００１９】
本発明によれば、撮影オーダに応じて複数の表示部に被写体が保持すべき姿勢を表示部の方向に応じて表示することで、被写体に保持すべき姿勢を短時間でとらせることができ、一連の放射線撮影をスムースに行うことができる。
【図面の簡単な説明】
【００２０】
【図１】本発明に係る放射線撮影装置の一実施形態の全体構成を示す線図的模式図である。
【図２】本発明に係る放射線撮影装置を上方から見た場合の模式図である。
【図３】本発明に係る放射線撮影装置の撮影メニュー選択画面の一例を示す説明図である。
【図４】本発明に係る放射線撮影装置の指示表示部に表示される指示表示の一例を示す説明図である。
【図５】本発明に係る放射線撮影装置の複数の指示表示部と指示表示部毎に異なる指示表示との一例を示す説明図である。
【発明を実施するための形態】
【００２１】
本発明に係る放射線撮影装置を、添付の図面に示す好適実施形態に基づいて以下に詳細に説明する。
【００２２】
＜放射線撮影装置の構成＞
図１は、本発明の放射線撮影装置の全体構成の一実施形態を表す線図的模式図である。図１に示すとおり、本発明の放射線撮影装置１０は、放射線源１２と、放射線源１２を支え、所定の位置に移動させる線源移動機構１４と、立位撮影台１６と、撮影台の背面に設置され、放射線を検出する放射線検出器（例えば、ＦＰＤ（Flat Panel Detector））１８と、被写体Ｐが姿勢を保持するための姿勢保持具２０と、被写体Ｐに対する姿勢指示を表示する指示表示部２２と、種々の制御を行うコンソール２４と、放射線撮影の撮影指示等を行う操作入力部２６と、被写体Ｐの情報を有する情報ネットワークシステムであるＲＩＳ（Radiology Information System：放射線科情報システム）２８と、後述する複数の撮影メニュー５２及び放射線画像を表示し、状況に応じて出力する、表示部３０及び出力部３２とを備える。
【００２３】
放射線源１２は、操作入力部２６からの撮影指示に基づいて、コンソール２４を通じて、被写体Ｐに向けて放射線を曝射する。なお、放射線源１２から曝射される放射線量は、放射線管の強度及び曝射時間に基づいてコンソール２４で制御される。
【００２４】
線源移動機構１４は、操作入力部２６からの指示に基づいて、コンソール２４を通じて所定の撮影位置まで放射線源１２を移動させる。線源移動機構１４は、放射線源１２を上下方向（鉛直方向、ｚ方向）に移動させるアームと、放射線源１２を左右方向（水平方向、ｘ−ｙ方向）に移動させるレールとからなり、上下、左右方向（鉛直、水平方向）の移動はもちろん、放射線源１２の曝射角度についても調整が可能である。
【００２５】
撮影台１６は、放射線検出器１８を設置し、また、被写体Ｐを支えるものである。図１に示す撮影台１６は立位放射線撮影に用いられるものであるが、本発明はそれに限られず、臥位放射線撮影やマンモグラフィ撮影も含む。なお、撮影台１６は、被写体Ｐの撮影部位及び被写体Ｐの体格に応じて高さ方向（上下方向）に移動が可能である。
【００２６】
また、放射線検出器１８として用いられるＦＰＤは、アモルファスセレン等の光導電膜とＴＦＴ（Thin Film Transistor）等を用い、放射線の入射によって光導電膜が発した電子−正孔対（ｅ−ｈペア）を収集してＴＦＴによって電荷信号として読み出す、いわゆる直接方式のＦＰＤ、及び、「ＣｓＩ：Ｔｌ」などの放射線の入射によって発光（蛍光）する蛍光体で形成されたシンチレータ層とフォトダイオードとＴＦＴ等を用い、放射線の入射によるシンチレータ層の発光をフォトダイオードで光電変換して、ＴＦＴによって電気信号として読み出す、いわゆる間接方式のＦＰＤの、いずれでもよい。
放射線検出器１８であるＦＰＤは、被写体Ｐの体を透過した放射線を受け、この放射線を電気信号に変換することにより、被検者Ｐの放射線画像の画像データ（放射線データ）を得る。得られた放射線データは、撮影制御部３６からの指示により、コンソール２４へ出力される。
【００２７】
なお、本発明の放射線検出器１８として、上述のとおり、ＦＰＤを例として説明しているが、本発明の放射線検出器１８はＦＰＤに限定される必要はなく、ＣＲ（Computed Radiography：コンピュータ放射線撮影）のＩＰ（Imaging Plate：イメージングプレート）や、放射線フィルムカセッテ等、他の放射線検出器を用いてよいのは当然である。
【００２８】
姿勢保持具２０は、被写体Ｐの姿勢の保持を助けるものである。放射線撮影においては、被写体Ｐは特定の姿勢を保持し続けなければならず、保持すべき姿勢によっては、被写体Ｐに相当の負担を強いるものもある。よって、被写体Ｐは特定の姿勢を一定時間保持するために、例えば、姿勢保持具２０を把持する。
なお、姿勢保持具２０は、図１に示すように被写体Ｐの頭部付近又は被写体Ｐの腰部付近に設置された金属製の手すり等であり、被写体Ｐがこれら姿勢保持具２０を把持することで、そのままでは保持し辛い姿勢を保持することができる。
【００２９】
指示表示部２２は、放射線撮影の際、被写体Ｐへの所定の指示を表示するモニタ等であり、被写体Ｐの保持姿勢に関わらず被写体Ｐが視認し易い位置に複数設けられる。
図１を上方から見た図である図２では、指示表示部２２（２２Ａ〜２２Ｄ）は、被写体Ｐを取り囲むように設けられ、それぞれ必要に応じてコンソール２４より出力された被写体Ｐへの指示を表示する。
図２に示すように、例えば、被写体Ｐの前後左右に対応するように、２２Ａ〜２２Ｄの４枚のモニタを設けることで、被写体Ｐがどのような方向を向いていようとも、被写体Ｐは保持すべき姿勢を視認することができる。
【００３０】
＜コンソールの構成＞
コンソール２４は、後述する操作入力部２６からの入力指示に基づいて、放射線源１２の曝射、線源移動機構１４による放射線源１２の線源位置の移動、放射線検出器１８からの放射線データの読み取り、後述するＲＩＳ２８からの各種情報の取得、並びに表示部３０及び出力部３２における後述する複数の撮影メニュー５２及び放射線画像の表示及び出力を行う。
コンソール２４は、後述する操作入力部２６からの指示により複数の撮影メニュー５２から１つの撮影メニューを選択する撮影メニュー選択部３４と、後述する操作入力部２６からの指示により、放射線源１２、線源移動機構１４及び放射線検出器１８を制御して放射線撮影を行う撮影制御部３６と、各種情報を記憶するメモリ３８と、放射線の曝射回数をカウントし、放射線撮影の進行状況を検出する進行状況検出部４０と、選択された撮影メニューによって生成された一連の撮影オーダ５４に対応する一連の指示表示５６を生成する指示表示生成部４２と、撮影オーダ（一連の撮影オーダ５４のうちの１つの撮影オーダ）に基づいて、生成された指示表示（一連の指示表示５６のうちの１つの指示表示（指示表示部２２に応じて複数種類有ってもよい。）の指示表示部２２Ａ〜２２Ｄへの表示を制御する指示表示制御部４４と、放射線検出器１８より取得した放射線データを表示部３０等で表示可能な画像データへ変換するデータ処理部４６と、表示可能な放射線画像の画像データに画像補正処理を施す画像処理部４８と、後述する操作入力部２６の指示により、放射線画像データの表示部３０への表示及び出力部３２への出力を制御する表示制御部５０とを備える。
【００３１】
なお、コンソール２４は、具体的には、ＣＰＵ（中央処理装置）、ＲＡＭ（主記憶装置）、ハードディスク等で構成されるコンピュータによって構成され、実際には、上述のＣＰＵ（中央処理装置）、ＲＡＭ（主記憶装置）、ハードディスク等が連動して、コンソール２４内の上述の撮影メニュー選択部３４、撮影制御部３６、メモリ３８、進行状況検出部４０、指示表示生成部４２、指示表示制御部４４、データ処理部４６、画像処理部４８、及び表示制御部５０の各部を構成する。
【００３２】
撮影メニュー選択部３４は、後述する操作入力部２６からの指示により、ＲＩＳ２８等から取得され、メモリ３８に記憶された複数の撮影メニュー５２のうち、一つの撮影メニューを選択するものである。
具体的には、図３に示すように、表示制御部５０を通じて表示部３０に複数の撮影メニューを表示し、後述する操作入力部２６を通じて、表示された複数の撮影メニューの内、一つの撮影メニューを選択する。
一つの撮影メニューが選択されると、撮影メニュー選択部３４は、その撮影メニューに応じて一連の撮影オーダ５４を生成し、この一連の撮影オーダ５４をメモリ３８へ記憶する。
【００３３】
撮影制御部３６は、後述する操作入力部２６からの指示により、一連の撮影オーダ５４に基づいて放射線源１２からの曝射量（放射線強度及び曝射時間）を決定し、また、線源移動機構１４を制御して放射線源１２を所定の位置に移動させ、放射線源１２及びＦＰＤ１８を制御して放射線撮影を行う。なお、撮影制御部３６によって放射線源１２の曝射が行われると、その曝射の情報は、進行状況検出部４０に出力される。
【００３４】
進行状況検出部４０は、放射線源１２の曝射回数に応じて、メモリ３８に撮影回数５８を出力する。なお、一連の撮影オーダ５４により撮影回数が決定されている場合には、一連の撮影オーダ５４の内、どこまで撮影が行われたか（撮影の進行状況）を判断することができる。具体的には、（現撮影回数）／（一連の撮影オーダ、つまり全撮影回数）を撮影回数（進行状況）５８として検出する。
【００３５】
メモリ３８は、後述する操作入力部２６からの指示により、ＲＩＳ２８等から、撮影部位に基づく複数の撮影メニュー５２を取得し、記憶する。また、メモリ３８は、上述のとおり、撮影メニュー選択部３４で選択され生成された撮影メニューに基づく一連の撮影オーダ５４を記憶し、一連の撮影オーダ５４に基づいて指示表示生成部４２で生成された一連の指示表示５６を記憶し、進行状況検出部４０で検出された撮影回数（進行状況）５８を記憶する。そして、必要に応じて、これらを各部へ出力する。
また、メモリ３８は、放射線検出器１８より取得した放射線画像の画像データを記憶し、表示制御部５０からの指示により、必要に応じて表示部３０及び出力部３２へ出力する。なお、放射線画像の画像データは、操作入力部２６の指示により、ＰＡＣＳ（Picture Archiving And Communication System：画像保存通信システム）等の図示しない画像サーバに被写体Ｐの情報及び撮影情報と共に出力されてもよく、また、図示しない記憶媒体書込手段等を通じて記憶媒体に記憶されてもよい。ここで撮影情報とは、撮影部位、被写体の向き、放射線強度、曝射時間、ＳＩＤ（放射線源１２と放射線検出器１８との間の距離）等を含む撮影時の情報である。
【００３６】
指示表示生成部４２は、メモリ３８に記憶された一連の撮影オーダ５４に基づいて、対応する一連の指示表示５６を生成する。一連の指示表示５６とは、指示表示部２２Ａ〜２２Ｄにおいて表示する指示表示であり、図４に示すように、被写体である被写体Ｐが保持すべき姿勢を絵及び文字等で示したものである。
【００３７】
また、図４に示すように、指示表示生成部４２で生成される指示表示は、上述の被写体Ｐが保持すべき姿勢と共に、一連の撮影オーダ５４及び進行状況検出部４０で検出された撮影回数（進行状況）５８を進行状況表示部分６０として同時に表示してもよい。図４に示すように、進行状況表示部分６０は、一連の撮影オーダ５４に基づいて生成された一連の指示表示５６を一連のサムネイル画像として現在の指示表示の下部に表示し、現在の指示表示が一連のサムネイル画像のうちのどれに該当するのか分かるように表示したものでもよく、また、分数表示にて、上述の撮影回数５８である、（現撮影回数）／（一連の撮影オーダ、つまり全撮影回数）を現在の指示表示の下部に表示したものでもよい。
また、指示表示生成部４２で生成される指示表示は、指示表示部２２Ａ〜２２Ｄの向き（表示方向）に対応して、１つの撮影オーダに対して複数の指示表示が生成されてもよい。
【００３８】
指示表示制御部４４は、一連の指示表示５６を、一連の撮影オーダ５４及び撮影制御部３６からの撮影指示に基づいて、指示表示部２２Ａ〜２２Ｄに表示するものであり、放射線の曝射に基づいて、指示表示部２２Ａ〜２２Ｄにおける指示表示の切替を行うものである。
【００３９】
また、指示表示制御部４４は、上述のように、１つの撮影オーダに対して複数の指示表示が生成された場合、例えば、図５に示すように、指示表示部２２Ａには正面を向いた絵を、指示表示部２２Ｂ及び２２Ｄには側面を向いた絵を、指示表示部２２Ｄは背面を向いた絵を表示させる。
指示表示制御部４４が、指示表示部２２Ａ〜２２Ｄの向きに応じて被写体Ｐの保持すべき姿勢を表示することで、被写体Ｐは、現在保持している姿勢から最も見易い指示表示部２２において自己が保持すべき姿勢をすぐに認識することができ、その姿勢が現在の姿勢と異なる場合には、自己の保持する姿勢を容易に改めることができる。
【００４０】
また、操作者が操作入力部２６を操作して放射線撮影を行う場合において、撮影指示を入力してから実際に放射線源１２から放射線が曝射されるまでに時間が掛かる場合には、指示表示制御部４４は、指示表示部２２Ａ〜２２Ｄ上に、放射線曝射までの残り時間をカウントする時間表示を行ってもよい。
【００４１】
データ処理部４６は、放射線検出器１８の出力信号（放射線画像の放射線データ）に、Ａ／Ｄ変換やｌｏｇ変換等の処理を施して、いわゆる放射線画像の画像データに変換するものであり、画像処理部４８は、表示部３０における画像表示、出力部３２によるプリント（ハードコピー）出力、及びメモリ３８への出力や図示しない画像サーバ（ＰＡＣＳ等）や記憶媒体への出力に対応する放射線画像データを出力するためのものである。
【００４２】
表示制御部５０は、後述する操作入力部２６からの指示により、表示部３０において複数の撮影メニュー等を表示させ、また、表示部３０及び出力部３２において、撮影された放射線画像を表示・出力するのを制御する。また、表示制御部５０は、メモリ３８に記憶された過去の放射線画像や、後述するＲＩＳ２８等を通じて取得された撮影情報等を表示するように表示部３０を制御してもよい。
以上が、図１に示すコンソール２４の構成である。
【００４３】
操作入力部２６は上述のとおり、上述のとおり、コンソール２４に対して各種操作入力を行い、コンソール２４を通じて、複数の撮影メニュー５２からの１つの撮影メニューの選択、放射線源１２の曝射指示、ＦＰＤ２０の読み取り指示、後述するＲＩＳ２８からの情報の取得指示、得られた放射線画像データの表示部３０及び出力部３２等への表示・出力指示等、各部への各種指示を行う。
また、操作入力部２６は、具体的には、キーボード及びマウスなどの入力装置や、ＩＣカードリーダやバーコードリーダ等の読み取り装置を備えてもよい。
【００４４】
ＲＩＳ２８は、放射線科で用いられる情報ネットワークシステムであり、放射線撮影など予約から検査結果の管理までを行うことのでき、被写体である被写体Ｐの情報や、撮影部位に対応した複数の撮影メニューなどの撮影情報及び診断情報を保存し、必要に応じて出力する情報データベースシステムである。ここで診断情報とは、被写体Ｐ個人に紐付く情報であって、被写体ＩＤ、名前、性別、生年月日、放射線撮影日時、撮影履歴等を含む情報である。
上述のとおり、ＲＩＳ２８は、操作入力部２６からの指示により、上述の複数の撮影メニュー５２を出力する。
【００４５】
表示部３０は、放射線画像を表示する放射線画像表示用の液晶モニタ等であり、上述のとおり、操作入力部２６からの指示により表示制御部５０を通じてメモリ３８に記憶された複数の撮影メニュー５２を表示し、また、放射線画像データを表示する。
また、出力部３２は、放射線画像を紙に印刷し、また、放射線画像専用のフィルムに印刷するプリンタであり、操作入力部２６からの指示により、表示部３０に表示された放射線画像を出力する。
【００４６】
以上が本発明に係る放射線撮影装置１０の一実施形態の構成である。上述の構成は一例であり、各構成は上述の例に限定されず他の種々の公知の技術を用いることができる。
【００４７】
＜放射線撮影装置の動作＞
次に、本発明の放射線撮影装置１０において、放射線撮影を行う場合の動作について説明する。
【００４８】
まず始めに、操作者は、操作入力部２６を通じて被写体である被写体Ｐの情報（ＩＤ）を入力し、被写体Ｐの情報に基づいて、ＲＩＳ２８から被写体Ｐの過去の撮影情報及び診断情報を含む複数の撮影メニュー５２を取得し、コンソール２４のメモリ３８へ記憶する。
【００４９】
次に、操作者は、ＲＩＳ２８から取得した複数の撮影メニュー５２をコンソール２４の表示制御部５０を通じて表示部３０に表示させ、操作入力部２６を通じて、撮影メニュー選択部３４により、１つの撮影メニューを選択する。
具体的には、図３に示すように、表示部３０に表示された複数の撮影メニュー５２のうち、カーソルによって１つの撮影メニューを選択する。
なお、再診の場合であって、経過観察を行う場合には、「再診放射線撮影」の撮影メニューを選択することで、前回の放射線撮影と同じ条件で放射線撮影を行うことができる。
【００５０】
撮影メニュー選択部３４によって複数の撮影メニュー５２から１つの撮影メニューが選択されると、撮影メニュー選択部３４によって一連の撮影オーダ５４が生成され、メモリ３８に記憶される。
なお、一連の撮影オーダ５４は、選択された１つの撮影メニューに基づいて、撮影メニュー選択部３４によってＲＩＳ２８から取得されてもよく、また、メモリ３８に予め複数の撮影オーダが記憶されており、選択された１つの撮影メニューに基づいて撮影メニュー選択部３４によって所定のものが選択され、組み合わされて、一連の撮影オーダ５４としてメモリ３８に改めて記憶されてもよい。
なお、撮影オーダとは、撮影部位、体の向き、ＳＩＤ、並びに、被験者である被写体Ｐの性別、体格（身長、体重）及び体厚などによって異なる曝射放射線の線量（放射線強度及び曝射時間）を含む撮影指示であり、撮影オーダが実行されることで放射線撮影がなされる。
【００５１】
一連の撮影オーダ５４がメモリ３８に記憶されると、指示表示生成部４２は、一連の撮影オーダ５４に基づいて、被写体Ｐが保持すべき姿勢を含む一連の指示表示５６を生成する。
上述のとおり、指示表示は、例えば、図４に示すように、被写体Ｐが保持すべき姿勢を絵や文字等で表示するものであり、また、同時に、撮影の進行状況を表示してもよい。また、指示表示は、１つの撮影オーダに対して、指示表示部２２の向き（表示方向）に応じて複数種類生成されてもよい。
【００５２】
操作者は、操作入力部２６により、撮影制御部３６へ撮影準備の指示を行う。撮影制御部３６より撮影準備の指示が出されると、指示表示制御部４４は、メモリ３８に記憶された一連の指示表示５６に基づいて、指示表示部２２Ａ〜２２Ｄへ最初の撮影オーダに対応する指示表示を表示する。
【００５３】
次に、操作者は、被写体Ｐを撮影台１６の前に立たせ、姿勢保持具２０を把持させて、指示表示部２２に表示する姿勢を保持させる。
そして、操作者は、被写体Ｐが姿勢を保持していることを確認しつつ、撮影制御部３６（操作入力部２６）を通じて撮影オーダに基づく放射線撮影を行う。
【００５４】
操作者が操作入力部２６により撮影指示を出すと、放射線源１２は、撮影制御部３６を通じて撮影オーダによって決定されたＳＩＤで、撮影オーダによって決定された撮影部位に、撮影オーダによって決定された放射線量（放射線強度及び曝射時間）を曝射する。
また、放射線検出器１８は、放射線源１２から曝射され、被写体Ｐを透過した放射線を検出し、放射線データとしてコンソール２４のデータ処理部４６へ出力する。
そして、データ処理部４６は、放射線データを放射線画像データに変換して画像処理部４８へ出力し、画像処理部４８は、表示部３０及び出力部３２等に応じた画像データ形式に、前述の放射線画像データを変換する。画像処理部４８で変換された放射線画像データは、必要に応じて表示部３０、出力部３２、及びメモリ３８等へ出力される。
【００５５】
１つの撮影オーダに基づく１回の放射線撮影が行われると、進行状況検出部４０は、メモリ３８に撮影回数５８として記憶される放射線の曝射回数を１つ増加させ、再度、メモリ３８へ記録する。
また、１回の放射線撮影が行われると、指示表示制御部４４は、指示表示部２２Ａ〜２２Ｄに、次の撮影オーダに対応する指示表示を表示する。
操作者は、被写体Ｐが指示表示部２２に表示された指示表示を見て保持すべき姿勢を変えたことを確認し、撮影制御部３６を通じて２回目の放射線撮影を行う。なお、放射線源１２からの放射線量、撮影部位、被写体Ｐの体の向き、及びＳＩＤは、上述と同様、撮影オーダに基づいて変更されている。
【００５６】
次の（２回目の）放射線撮影も、最初の放射線撮影と同様、放射線検出器１８において、放射線データが取得され、メモリ３８にその放射線データに基づく放射線画像データが記憶される。
【００５７】
３回目以降の撮影についても前述と同様の動作によって放射線撮影が行われることで、一連の撮影オーダが全て実行される。
なお、最後の撮影の場合には、撮影終了後、指示表示制御部４４より、撮影終了の旨が指示表示部２２Ａ〜２２Ｄに表示される。
【００５８】
取得された放射線画像の画像データは、メモリ３８に記憶されており、操作入力部２６からの指示により、表示制御部５０を通じて、表示部３０に表示され、また、出力部３２に出力される。また、取得された放射線画像の画像データは、被写体Ｐの情報、一連の撮影オーダ５４、及び一連の指示表示５６と共に、放射線画像データは、必要に応じてＰＡＣＳ等の図示しない医療用画像サーバ等に保存されてもよく、また、図示しない記憶媒体書込手段等によって図示しない記憶媒体等に保存されてもよい。
以上が、本発明の放射線撮影装置１０の動作である。
【００５９】
以上、本発明の放射線撮影装置について詳細に説明したが、本発明は、上記実施形態に限定されるものではなく、本発明の要旨を逸脱しない範囲において、各種の改良や変更を行ってもよい。
【符号の説明】
【００６０】
１０  放射線撮影装置
１２  放射線源
１４  線源移動機構
１６  撮影台
１８  放射線検出器
２０  姿勢保持具
２２（２２Ａ〜２２Ｄ）  指示表示部
２４  コンソール
２６  操作入力部
２８  ＲＩＳ（放射線科情報システム）
３０  表示部（モニタ）
３２  出力部（プリンタ）
３４  撮影メニュー選択部
３６  撮影制御部
３８  メモリ
４０  進行状況検出部
４２  指示表示生成部
４４  指示表示制御部
４６  データ処理部
４８  画像処理部
５０  表示制御部
５２  複数の撮影メニュー
５４  一連の撮影オーダ
５６  一連の指示表示
５８  撮影回数（進行状況）
６０  進行状況表示部分
【図１】
0005693406.tif 000002
【図２】
0005693406.tif 000003
【図３】
0005693406.tif 000004
【図４】
0005693406.tif 000005
【図５】
0005693406.tif 000006